【事件の表示】
　特願２０１０−１９００１５「入力装置」拒絶査定不服審判事件〔平成２４年　３月　８日出願公開、特開２０１２−　４８５０４〕について、次のとおり審決する。
【結　論】
　本件審判の請求は、成り立たない。
【理　由】
１．手続きの経緯・本願発明
　本願は、平成２２年８月２６日の出願であって、平成２５年１２月１２日付けで拒絶の理由が通知され、これに対して平成２６年２月１７日に意見書及び手続補正書が提出され、同年７月２４日付けで拒絶査定がなされ、同査定の謄本は同年７月２９日に請求人に送達された。
　これに対して、同年１０月２９日に拒絶査定不服審判の請求がなされたものである。
　よって、本願の特許請求の範囲の請求項１に記載された発明（以下、「本願発明」という。）は、平成２６年２月１７日付けの手続補正により補正された特許請求の範囲の請求項１に記載された次のとおりのものと認める。
「　【請求項１】
　入力部と、
　前記入力部に対する押下荷重を検出する荷重検出部と、
　前記荷重検出部によって検出された押下荷重と所定の押下荷重閾値との比較に基づく処理、及び前記荷重検出部によって検出された押下荷重の変化量に応じた処理を決定する制御部と、を備え、
　前記制御部は、前記処理に応じた触感を前記入力部に呈示することを特徴とする入力装置。」
２．引用発明
　原査定の拒絶の理由である平成２５年１２月１２日付けの拒絶理由通知で引用され平成２６年７月２４日付けの拒絶査定においても引用された特開２００２−２４４７８９号公報（以下、「引用例」という。）には、関連する図面とともに、以下の記載がある。
「【０００６】
【発明が解決しようとする課題】
（・・・中略・・・）
【０００９】このように、オン／オフの２状態しか持たない押下操作が可能な操作キーを用いる場合には、目的とする処理を行うようにするために、また、目的とする情報を入力するために、所定の操作キーを何度も押下操作したり、押し続けなければならず、目的とする結果を得るまでに手間や時間がかかる場合がある。また、複数の操作キーを用いる場合には、操作が複雑になるなど操作がしずらい場合がある。
【００１０】以上のことにかんがみ、この発明は、簡単な操作で、迅速かつ正確に、目的とする処理を実行したり、目的とする情報を入力することが可能な電子機器を提供することを目的とする。」
「【００２９】また、請求項８に記載の発明の電子機器は、請求項２に記載の電子機器であって、前記特性切換制御手段は、前記押圧力検出手段からの検出出力が、予め決められた複数の閾値のいづれかを越えるごとに、その越えた閾値に対応付けられている特性に切り換えることを特徴とする。
【００３０】この請求項８に記載の発明の電子機器によれば、押圧力検出手段からの検出出力が、予め設けられる複数個の閾値のそれぞれを越えることに、それらの閾値に割り当てられいる特性に切り換えられるようにされる。これにより、例えば、音量や、輝度などの調整を段階的にスムースに行うようにすることができる。
【００３１】また、請求項９に記載の発明の電子機器は、請求項３に記載の電子機器であって、前記報知手段は、所定時間間隔における前記押圧力検出手段からの検出出力の変化の度合いに応じて、報知態様を変えることを特徴とする。
【００３２】この請求項９に記載の発明の電子機器によれば、押圧力検出手段からの検出出力に基づいて、押圧操作受付手段にかけられた使用者からの押圧力のかけ方が、急激か緩やかかを検出し、急激な場合には、押圧力に応じて変わる押圧力に関する情報を素早く報知するようにして、迅速に目的とする機能、特性に切り換えるようにされる。
【００３３】また、逆に、押圧操作受付手段にかけられた使用者からの押圧力のかけ方が、穏やかな場合には、押圧力に応じて変わる押圧力に関する情報を比較的にゆっくりと報知するようにされ、正確に目的とする機能、特性に切り換えるようにすることができるようにされる。使用者の押圧操作に応じた適切な早さで、目的とする機能、特性に切り換えることができるようにされる。」
「【００３９】図１に示すように、この実施の形態の音楽再生機は、ＣＰＵ１１、後述もする操作キー２に対して与えられた使用者からの押圧力を検出するための感圧センサ１２、Ａ／Ｄ（アナログ／デジタル）変換部１３、メモリマネージメントユニット（以下、ＭＭＵと略称する。）１４、ＰＲＯＭ１５、ＲＡＭ１６、データメモリ１７、時計回路１８、外部機器とのインターフェース（以下、Ｉ／Ｆと略称する。）１９、外部機器との接続端子２０、ＣＰＵバス２１を備えている。
【００４０】なお、ＰＲＯＭ１５は、この実施の形態の音楽再生機において実行する各種のプログラムを記憶したものである。また、ＲＡＭ１６は、主に、各種の処理おいて作業領域（ワークアリア）として用いられるものである。また、データメモリ１７は、後述もするように、この実施の形態においては、楽曲などの音声データや制御データなどが記録される例えばフラッシュメモリなどのいわゆる不揮発性メモリである。」
「【００４２】さらに、この実施の形態の音声再生機は、図１に示すように、いわゆるユーザインターフェースとして、押圧操作を受け付ける操作キー２、ＬＣＤ３、ＬＥＤ４、バイブレータ５を備えたものである。操作キー２は、図２に示すように、使用者が操作しやすいように、この実施の形態の音楽再生機の本体１のフロント面に設けられ、使用者の指などによる押圧操作を受け付けるものである。
【００４３】ＬＣＤ３、ＬＥＤ４もまた、図２に示すように、使用者による観視が容易な音楽再生機の本体１のフロント面に設けたものである。そして、ＬＣＤ３は、カラー表示が可能なものであり、ＣＰＵ１１からの制御信号に応じて、各種のガイダンスやメッセージなどを表示することがでるものである。
【００４４】そして、ＬＣＤ３は、ＣＰＵ１１の制御により、文字、絵、図形などの表示情報の変更、表示色の変更、文字、絵、図形などの表示情報の表示サイズの変更、輝度の変更などができるようにされたものである。そして、ＬＣＤ３の表示態様を変えることによって、異なる種々の機能やモードの選択状態や機能の特性の選択状態などを報知することができるようにしている。
【００４５】ＬＥＤ４もまた、この音楽再生機の機能の選択状態や機能の特性の選択状態などを報知するためのものであり、ＣＰＵ１１により制御される駆動回路２２を通じて、輝度を変化させたり、点灯、消灯、点滅などの組み合わせなどによって、異なる種々の機能の選択状態や機能の特性の選択状態を報知することができるものである。
【００４６】すなわち、ＬＥＤ４は、これに印加するパルス信号のデューティ（ＤＵＴＹ）幅変化により輝度を制御できる。また、ＬＥＤ４は、これに印加するパルス信号のオン時間、オフ時間の組み合わせを変えることにより、発光パターンを変化させることができる。さらに、複数のＬＥＤを組み合わせ近傍に配置し、それぞれのＬＥＤのオン／オフを個々に制御することにより、色相を変化させるようにすることも可能である。これらの態様を用いることによって、異なる種々の機能の選択状態、機能の特性の選択状態を報知するようにしている。
【００４７】また、バイブレータ５は、本体１内に設けられ、この実施の形態の音楽再生機の本体１を振動させることにより、この音楽再生機の異なる種々の機能の選択状態態や機能の特性の選択状態などを報知することができるようにしている。すなわち、バイブレータ５は、これに印加するパルス信号のデューティ（ＤＵＴＹ）幅変化により振動量を制御することができる。また、バイブレータ５は、これに印加するパルス信号のオン時間、オフ時間の組み合わせを変えることにより、振動パターンを変化させることができる。これらの態様を用いることによって、異なる種々の機能の選択状態態や機能の特性の選択状態を報知することができるようにしている。」
「【００６１】すなわち、図１にも示したように、操作キー２には、感圧センサ１２が連動するようにされている。感圧センサ１２は、例えば半導体歪ゲージや圧力による静電容量変化型デバイスを利用して、操作キー２にかけられた押圧力を検出し、この検出した押圧力を、これに比例した直流電圧に変換して出力する。この実施の形態において、感圧センサ１２は、例えば、２枚の電極を対向して配置し、これに加えられた押圧力に応じて電極間の距離が変化することによって変化する静電容量変化を検出する静電容量変化型のデバイスを用いたものである。
【００６２】感圧センサ１２からの検出出力は、Ａ／Ｄ変換部１３に供給され、ここでデジタル信号に変換されて、ＣＰＵ１１に通知するようにされる。そして、ＣＰＵ１１は、検出された操作キー２に対する押圧力の大きさと、予め決められている押圧力の大きさと機能との対応テーブル、押圧力の大きさと各機能における特性との対応テーブルとに基づいて、機能の選択実行、特性の調整変更を行うようにしている。これらの対応テーブルは、この実施の形態においては、ＰＲＯＭ１５に形成されている。」
「【００６４】そこで、前述もしたように、ＬＣＤ３、ＬＥＤ４、バイブレータ５、あるいは、ヘッドホンから放音されるトーン信号によって、この実施の形態の音楽再生機の機能の選択状態態や機能の特性の選択招待を報知する。すなわち、この実施の形態の音声再生機は、ＬＣＤ３、ＬＥＤ４、バイブレータ５、トーン信号を通じて、この実施の形態の音声再生機が、例えば、再生モード、音量アップモード、音量ダウンモード、スタンバイモードなどの機能のうち、どの機能に対応する押圧力が操作キー２にかけられているかを使用者に報知するようにしている。
【００６５】また、この実施の形態の音声再生機は、ＬＣＤ３、ＬＥＤ４、バイブレータ５、あるいは、トーン信号によって、例えば、音量アップモード時において、現在どのレベルの音量であるかを報知するなど、実行されている機能においての現在の特性のレベル（特性の選択状態）を使用者に知らせるようにしている。」
「【００７５】そして、前述のように、操作キー２に対する押圧力を不感帯にまで低下させることによって、選択した機能を確定する機能の選択実行を行うようのに対し、同じように操作キー２を通じて行う選択された機能における特性の調整変更は、確定動作を必要としない。
【００７６】例えば、音量調整などは、操作キー２に対して押圧力が加えられ、操作キー２に対する押圧力の大きさが、例えば図３に示したように、予め定めた押圧量についての閾値ｐ１、ｐ２、ｐ３、ｐ４、ｐ５、…のそれぞれをまたぐごとに（越えるごとに）、各閾値に割り当てられている特性が確定したものとみなしてその特性となるように調整変更を実行する。
【００７７】すなわち、操作キー２に対する押圧力の大きさが、図３において閾値ｐ１を越えたときには、音量を所定量増加させ、閾値ｐ２を越えたときには、またさらに音量を所定量増加させるというように、確定動作を行うことなく、操作キー２にかけられた押圧力の大きさが所定の閾値を越えるごとに、音量を増加させるようにする。このようにして、機能選択後においては、その機能の特性を操作キー２を押圧操作するだけで、調整変更することができるようにしている。
【００７８】なお、前述のように、操作キー２の押圧操作だけで行う機能の切り換え時や機能の特性の切り換え時においては、ＬＣＤ３、ＬＥＤ４の表示や、バイブレータ５の振動や、トーン信号の放音により、操作キー２の押圧程度を明確に使用者に報知する。
【００７９】すなわち、機能の切り換えや機能の特性の切り換え時においては、前述もしたように、ＬＣＤ３への情報の表示、ＬＣＤ３の表示色変化や輝度変化、また、ＬＥＤ４の輝度変化、近傍に配置したＬＥＤ４の組み合わせによる表示色の変化、バイブレータ５の振動パターンの変化、振動量の変化、ヘッドホン５０から出力する使用者へのトーン信号の音圧の変化、単音での周波数の変化、または、複数の組み合わせる音源の周波数の変化により、操作キー２に対する押圧力の変化を報知するようにしている。」
「【０１２５】［押圧量の変化速度を考慮する方法］次に、操作キー２に対する押圧力の大きさの変化速度をも考慮する押圧力の検出処理方法について説明する。すなわち、ＣＰＵ１１は、予め定めたタイマーを用意しておく。このタイマーは、この実施の形態の音楽再生機の時計回路１８により実現することができる。
【０１２６】ＣＰＵ１１は、Ｄ／Ａ変換部１３からの押圧力の大きさの検出出力が、初期値（押圧なしの時点）からチャタリング防止のために予め定めた不感帯を越えた時点で、タイマーを起動させる。そして、ＣＰＵ１１は、タイマーを起動させた時点ｓｔにおける押圧力の大きさＶｓｔを検出するとともに、タイマーがタイムアウトした時点ｅｄにおける押圧力の大きさＶｅｄを検出する。
【０１２７】そして、押圧力の大きさＶｅｄから押圧力の大きさＶｓｔを減算することにより、時点ｓｔから時点ｅｄまでの所定時間における押圧力の大きさの変化量を検出することができる。この変化量が例えば所定値よりも大きい場合には、操作キー２の操作者は、大きな変化を望んでいるとみなし、進めるモードを大きく取る。つまり、操作キー２に対する押圧力を素早く大きくなるように押圧操作したときには大きな変化とみなし、操作キー２に対する押圧力をゆっくり大きくなるように押圧操作したときには少ない変化とみなすようにする。
【０１２８】図８は、時点ｓｔから時点ｅｄまでの単位時間当たりの押圧力の大きさの変化量を説明するための図である。図８Ａの場合には、時点ｓｔから時点ｅｄまでの単位時間当たりの操作キー２に対する押圧力の変化は小さく、操作キー２に対する押圧力は緩やかに大きくなるようにされている。また、図８Ｂの場合には、時点ｓｔから時点ｅｄまでの単位時間当たりの操作キー２に対する押圧力の変化は大きく、操作キー２に対する押圧力は急激に大きくなるようにされている。
【０１２９】そして、図８Ａのように、操作キー２に対する押圧力が緩やかに大きくされる場合には、押圧力の大きさに対して割り当てられる機能や特性の変化の報知を比較的にゆっくりと行って、機能をゆっくりと間違いなく選択して実行するようにしたり、特性をゆっくりと調整できるようにする。これによって、間違えなく、確実に、機能の選択実行、特性の調整変更を行うようにすることができる。
【０１３０】また、図８Ｂのように、操作キーに対する押圧力が急激に大きくされる場合には、押圧力の大きさに対して割り当てられる機能や特性の変化の報知を、例えば、高速に切り換えて、目的とする機能や特性の報知を行い、目的とする機能を迅速に選択実行するようにしたり、目的とする特性に迅速に調整することができるようにする。これによって、迅速に、機能の選択実行、特性の調整変更を行うようにすることができる。
【０１３１】［２つのタイマーを用いる方法］次に、押圧操作の加速度を検出するためのタイマーと、押圧力のサンプリングを行うためのいわゆるリングタイマーとを用いる押圧力の検出処理方法について説明する。音声再生機には、第１のタイマーとサンプリングを行うための第２のタイマー（リングタイマー）とを設けるようにする。これら２つのタイマーはともに、この実施の形態の音声再生機に搭載された時計回路１８によって実現することができる。
【０１３２】図９は、この２つのタイマーを用いる押圧力の検出処理方法を説明するための図である。ＣＰＵ１１は、Ｄ／Ａ変換部１３からの検出出力が、初期値（押圧なしの時点）からチャタリング防止のために予め定めた不感帯を越えた時点ｓｔで、第１のタイマーを起動させる。
【０１３３】また、ＣＰＵ１１は、前述の所定間隔毎にサンプリングする方法で用いたようなサンプリングのための第２のカウンタの提供するタイミング毎（リップルキャリーを出す毎）にＤ／Ａ変換部１３からの押圧力をサンプリングし、その１つ前のサンプリング時点での押圧力の大きさとの差分を算出する。すなわち、図９においては、押圧量Ｖ２を検出した時点において、Ｖ２−Ｖ１を行い、押圧量Ｖ３を検出した時点において、Ｖ３−Ｖ２を行うというように、順次に差分を検出する。
【０１３４】ここで、第２のタイマーは、サンプリングのためのタイミングを提供するものであるので、例えば、第１のタイマーが測定しようとしている時間の１／１００（１００分の１）のオーダーといったような、第１のタイマーが計測する時間に比べて十分に小さいタイミングを提供することができるものである。
【０１３５】そして、ＣＰＵ１１は、求めた押圧力の大きさの差分が、予め定められた値よりも小さくなった場合に、使用者の所望する押圧力に達したものとみなし、第１のタイマーを停止させる。図９の例の場合には、時点ｅｄにおいて、Ｖ１０−Ｖ９を行うと、この差分値はマイナスとなり、予め定められた値Ｖより小さくなるとすると、この時点ｅｄにおいて第１のタイマーが停止されることになる。
【０１３６】すなわち、図９において、Ｖ２−Ｖ１、Ｖ３−Ｖ２、Ｖ４−Ｖ３、Ｖ５−Ｖ４、Ｖ６−Ｖ５、Ｖ７−Ｖ６、Ｖ８−Ｖ７、Ｖ９−Ｖ８の場合には、求められた値（差分）はいずれも正の値になるのに対して、Ｖ１０−Ｖ９により押圧力の差分を求めると、負の値になるので、押圧力Ｖ９が、使用者の所望する押圧力であると判別することができる。
【０１３７】ここで得られた押圧力を第１のタイマーが提供する時間、すなわち、第１のタイマーを動作させてから停止させるまでの時間で割り算することによって、単位時間当たりの押圧力の変化量が求められる。
【０１３８】前述した押圧量の変化速度を考慮する方法では、操作キー２を押下操作して押圧力が急激に大きくなるようにした場合には大きい変化、操作キー２を押下操作して押圧力をゆっくりと大きくなるようにした場合には小さい変化というように、一義的に定義した。
【０１３９】これに対して、このの方法の場合には、使用者が操作キー２に対してゆっくりと所望の押圧力を加えるようにした場合には、全モードの中間地点にあるモードを詳細に選択する意思があるものとみなし、中間地点のモードまでは短時間に表示して中間地点の各モードの報知の時間を長くとり選択しやすくすることができる。
【０１４０】また、ユーザが早く所望の押圧力を加えた場合には、全モードのうち後半部分にあるモードに早く達するようにする意思があるものとみなし、全モードのうちの後半部分のモードまでは短時間に表示して後半地点のモードでの表示時間を長くとり選択しやすくすることができる。」
「【０１４１】このように、押圧力の検出処理方法も種々のものを用いることができる。そして、ある定められた押圧力の大きさに達した時点から、前述した○１、○２、○３の方法を切り換えて用いるようにしてもよい。例えば、ある押圧量から切り換えることにより、ある定められたモードまでは、前述した○２の検出処理方法により素早く操作キー２に対する押圧力を大きくするようにした場合には、素早く動作し、その後は、前述した○１の検出処理方法により忠実に動作させるなど、使用者にとって使いやすい形態で押圧力の検出処理を行うようにすることができる。」
（「○１」、「○２」、「○３」の記号は、起案システムの都合上、当審で書き換えて記載した。）
　そして、引用例の上記記載を、関連図面と技術常識に照らせば、以下のことがいえる。
（１）引用例の図１−２及び上記段落【００４２】には、操作キー２を備える音楽再生機が記載されている。操作キー２は使用者の指などによる押圧操作を受け付けるものであることが記載されているから、音楽再生機は操作キー２を備える操作入力装置であるといえる。
（２）引用例の図１及び上記段落【００６１】−【００６２】には、操作キー２に対する押圧力を検出する感圧センサ１２を、音楽再生機が備えることが記載されている。
（３）引用例の上記段落【００６２】、図３及び上記段落【００６６】−【００７３】には、感圧センサ１２によって検出された押圧力と閾値ｐ１・ｐ２・ｐ３・ｐ４・ｐ５との比較に基づいて機能や選択された機能の特性を、ＣＰＵ１１が決定することが記載されている。
　また、引用例の図８−９及び上記段落【０１２５】−【０１４０】（特に上記段落【０１２７】、【０１２９】参照）には、感圧センサ１２によって検出された押圧力の大きさの変化量（Ｖｅｄ−Ｖｓｔ）に応じた機能や選択された機能の特性を、ＣＰＵ１１が決定することが記載されている。
　加えて、引用例の上記段落【０１４１】には、押圧力の検出処理方法について種々のものを用いることができると記載されており、○１（○１は所定間隔毎にサンプリングして押圧力の大きさを閾値と比較する方法）、○２、○３（○２、○３は押圧力の大きさの変化量を検出する方法）の方法を切り換えて用いるようにしてもよいことが記載されている。これは、押圧力の大きさを閾値と比較する方法、及び、押圧力の大きさの変化量を検出する方法の両方を用いてもよいことを示している。
（４）引用例の上記段落【００４７】、【００６２】、【００６４】には、ＣＰＵ１１が決定した機能や選択された機能の特性に応じた振動を、バイブレータ５を通じて本体１に呈示することが記載されている。
　以上を踏まえると、引用例には、次の発明（以下、「引用発明」という。）が記載されているといえる。
「操作キー２と、
　操作キー２に対する押圧力を検出する感圧センサ１２と、
　感圧センサ１２によって検出された押圧力と閾値ｐ１・ｐ２・ｐ３・ｐ４・ｐ５との比較に基づく機能や選択された機能の特性、及び感圧センサ１２によって検出された押圧力の大きさの変化量（Ｖｅｄ−Ｖｓｔ）に応じた機能や選択された機能の特性を決定するＣＰＵ１１と、を備え、
　ＣＰＵ１１は、機能や選択された機能の特性に応じた振動を本体１に呈示する操作入力装置。」
３．対比
　本願発明と、引用発明とを対比すると、次のことがいえる。
（１）引用発明の「操作入力装置」は、本願発明の「入力装置」に相当し、
引用発明の「操作キー２」は、本願発明の「入力部」に相当する。
（２）引用発明の「押圧力」、「感圧センサ１２」は、
それぞれ本願発明の「押下荷重」、「荷重検出部」に相当する。
（３）引用発明の「閾値ｐ１・ｐ２・ｐ３・ｐ４・ｐ５」、「機能や選択された機能の特性」、「押圧力の大きさの変化量（Ｖｅｄ−Ｖｓｔ）」、「ＣＰＵ１１」は、
それぞれ、本願発明の「所定の押下荷重閾値」、「処理」、「押下荷重の変化量」、「制御部」に相当する。
（４）引用発明の「機能や選択された機能の特性に応じた振動」、「振動を呈示する」は、
それぞれ本願発明の「処理に応じた触感」、「触感を呈示する」に相当する。
　よって、本願発明と引用発明の間には、次の一致点、相違点があるといえる。
（一致点）
「入力部と、
　前記入力部に対する押下荷重を検出する荷重検出部と、
　前記荷重検出部によって検出された押下荷重と所定の押下荷重閾値との比較に基づく処理、及び前記荷重検出部によって検出された押下荷重の変化量に応じた処理を決定する制御部と、を備え、
　前記制御部は、前記処理に応じた触感を呈示することを特徴とする入力装置。」である点。
（相違点）
本願発明は、触感を「前記入力部に」呈示するのに対し、
引用発明は、振動を本体１に呈示する点。
４．判断
（１）（相違点）について
　以下の事情を総合すると、引用発明において、相違点１に係る本願発明の構成を採用することは、当業者が容易に想到し得たことというべきである。
　ア．引用例の上記段落【００４７】、【００７８】−【００７９】には、バイブレータ５により本体１を振動させることにより、操作キー２の押圧程度を明確に使用者に報知することが記載されている。
　イ．一方、「筐体（本体）ではなく入力部自体を振動することにより使用者に入力部への入力を報知すること」は、周知の技術である。この点は、平成２６年７月２４日付けの拒絶査定において引用された特開２００４−０７２５４１号公報（要約、段落【００２８】−【００２９】、段落【００５８】−【００６０】及び図３、段落【００６３】参照）から明らかである。
　ウ．そして、引用発明において、この周知の技術に倣って、本体１を振動させる構成に代えて「操作キー２（入力部）」自体を振動させる構成を採用できない理由はない。
　エ．以上のことは、引用発明において、相違点に係る本願発明の構成を採用することが、当業者にとって容易であったことを意味する。
（２）本願発明の効果について
　本願発明の構成によってもたらされる効果は、引用発明から当業者が容易に想到し得た構成のものが奏するであろうと当業者が予測し得る範囲を超えるものではなく、本願発明の進歩性を肯定する根拠となり得るものではない。
　なお、審判請求人は、平成２６年１０月２９日付け審判請求書において、「本願発明は、「（押下荷重の変化量に応じた）処理に応じた触感を入力部に呈示する」ことに特徴があります。
　これに対し、引用発明１は、押圧力の変化の度合い（急激か緩やかか：傾き）に応じて報知態様を変えるものであって、押圧力の変化量（差分）に応じた触感を呈示するものではなく、上述した本願発明の構成に対応する直接的な記載やこれを示唆する記載ではありません。
　上述のような相違点に起因して、本願発明は、引用発明に比べ、押下荷重の変化量に応じた触感を呈示することで、押下荷重の変化に応じたきめ細かい操作を行うことができるという顕著な効果を奏します。」と主張している。
　しかし、本願請求項１には、「押下荷重の変化量」が、どの時点の押下荷重とどの時点の押下荷重の間の差を指すのかについての限定がなく、単に「押下荷重の変化量」と規定されているだけであるから、本願発明でいう「押下荷重の変化量に応じた処理」は、「押下荷重の変化量に応じた処理」といい得るもの全般を含んでいるといわざるを得ず、引用発明の「押圧力の大きさの変化量（Ｖｅｄ−Ｖｓｔ）に応じた処理（機能や選択された機能の特性）」を含まないと解することはできない。
　したがって、審判請求人の上記主張は採用できない。
（３）まとめ
　以上のとおりであるから、本願発明は、引用発明に基づいて当業者が容易に発明をすることができたものである。
５．むすび
　以上のとおり、本願発明は、引用発明に基づいて当業者が容易に発明をすることができたものであるから、特許法第２９条第２項の規定により特許を受けることができない。
　よって、結論のとおり審決する。